(57)【要約】【課題】扱うデータ量を少なくして、能率的に柄起こしすることができる印刷柄起こしシステムを提供すること。【解決手段】複数の柄形状を表示し（ステップＳ２）、該柄形状表示手段によって表示されオペレータの指示によって選択された柄形状を被印刷面に分散させ（ステップＳ３）、該柄形状分散手段によって分散された柄形状によって定まる被印刷面の柄領域のそれぞれに割り付けるテクスチャの配分をオペレータの指示に従って表示し（ステップＳ５）、該柄テクスチャ配分表示手段による配分で各テクスチャを各柄領域に割り付け（ステップＳ６）、該柄テクスチャ分散手段によって割り付けられたテクスチャのテクスチャパターンから部分テクスチャデータを該当柄領域の形状で切り出す（ステップＳ７）。【選択図】図１０
2005341434.tif 000002
【特許請求の範囲】
【請求項１】
複数の柄形状を表示する柄形状表示手段と、
該柄形状表示手段によって表示されオペレータの指示によって選択された柄形状を被印刷面に分散させる柄形状分散手段と、
該柄形状分散手段によって分散された柄形状によって定まる被印刷面の柄領域のそれぞれに割り付けるテクスチャの配分をオペレータの指示に従って表示する柄テクスチャ配分表示手段と、
該柄テクスチャ配分表示手段による配分で各テクスチャを各柄領域に割り付ける柄テクスチャ分散手段と、
該柄テクスチャ分散手段によって割り付けられたテクスチャのテクスチャパターンから部分テクスチャデータを該当柄領域の形状で切り出す柄テクスチャ切出手段と
を備えることを特徴とする印刷柄起こしシステム。
【請求項２】
印刷下地領域に割り付ける印刷下地テクスチャの候補を表示する下地テクスチャ表示手段を更に備えることを特徴とする請求項１記載の印刷柄起こしシステム。
【請求項３】
前記柄形状分散手段は、ランダムに柄形状を分散させ、前記柄テクスチャ分散手段は、ランダムに柄テクスチャを割り付け、前記柄テクスチャ切出手段は、ランダムに部分テクスチャデータを切り出すことを特徴とする請求項１又は２記載の印刷柄起こしシステム。
【請求項４】
コンピュータを、
複数の柄形状を表示する柄形状表示手段と、該柄形状表示手段によって表示されオペレータの指示によって選択された柄形状を被印刷面に分散させる柄形状分散手段と、該柄形状分散手段によって分散された柄形状によって定まる被印刷面の柄領域のそれぞれに割り付けるテクスチャの配分をオペレータの指示に従って表示する柄テクスチャ配分表示手段と、該柄テクスチャ配分表示手段による配分で各テクスチャを各柄領域に割り付ける柄テクスチャ分散手段と、該柄テクスチャ分散手段によって割り付けられたテクスチャのテクスチャパターンから部分テクスチャデータを該当柄領域の形状で切り出す柄テクスチャ切出手段とを備える印刷柄起こしシステム
として機能させるためのプログラム。
【発明の詳細な説明】
【技術分野】
【０００１】
本発明は、建築板などの印刷柄を起こすための印刷柄起こしシステム及びプログラムに関し、特に、少ないデータ量を扱うだけで済み、能率的に柄起こしすることができる印刷柄起こしシステム及びプログラムに関する。
【背景技術】
【０００２】
写真等の原画像を被印刷面に拡大展開し、それをＣＭＹＫ（Cyan Magenta Yellow BlacK）印刷制御データに変換して、インクジェットノズルの開閉制御を行うのが一般的な印刷処理である。すなわち、１つの被印刷面に展開する画像に対して、１の印刷制御データが作成される。
【０００３】
ところが、建築板のような長尺矩形形状の広い被印刷面を有するものの印刷においては、被印刷面全面に対して記憶させる印刷制御データ量は、莫大なものとなってしまう。原画を部分的に少しずつ変えたような画像のバリエーションを拡大展開させようとする場合においても、１つの被印刷面に対して、１つの印刷制御データが作成されることについては同じであり、柄数が増えれば、記憶する印刷制御データ量も、極めて莫大なものとなってしまう（データ量が大きい問題）。
【０００４】
また、印刷しようとする画像の作成（印刷柄起こし）についても、被印刷面積が大きいので、各部の柄を統一よく作成するのに、かなりの時間を要する（操作の能率性の問題）。このため、従来より尺角（約３０ｃｍ角）程度の柄を作成し、それを接合して、広い面積の柄を作成するといった方法で、柄起こし作業の能率化を図っている（例えば、特許文献１参照）。
【特許文献１】特開２００１−２２７１３０号公報
【発明の開示】
【発明が解決しようとする課題】
【０００５】
しかし、その柄接合の方法の場合、どうしても同一柄が繰り返されるという単調感を回避することはできない。
【０００６】
本発明は、上記問題点に鑑み、扱うデータ量を少なくして、能率的に自然な風合いの柄起こしをすることができる印刷柄起こしシステム及びプログラムを提供することを目的とする。
【課題を解決するための手段】
【０００７】
本発明の印刷柄起こしシステムは、複数の柄形状を表示する柄形状表示手段と、該柄形状表示手段によって表示されオペレータの指示によって選択された柄形状を被印刷面に分散させる柄形状分散手段と、該柄形状分散手段によって分散された柄形状によって定まる被印刷面の柄領域のそれぞれに割り付けるテクスチャの配分をオペレータの指示に従って表示する柄テクスチャ配分表示手段と、該柄テクスチャ配分表示手段による配分で各テクスチャを各柄領域に割り付ける柄テクスチャ分散手段と、該柄テクスチャ分散手段によって割り付けられたテクスチャのテクスチャパターンから部分テクスチャデータを該当柄領域の形状で切り出す柄テクスチャ切出手段とを備える。
【０００８】
また、印刷下地領域に割り付ける印刷下地テクスチャの候補を表示する下地テクスチャ表示手段を更に備えることで、任意の下地テクスチャを簡単に割り付けることができる。
【０００９】
また、前記柄形状分散手段は、ランダムに柄形状を分散させ、前記柄テクスチャ分散手段は、ランダムに柄テクスチャを割り付け、前記柄テクスチャ切出手段は、ランダムに部分テクスチャデータを切り出すことで、自然な風合いの柄を演出することができる。
【００１０】
また、本発明はコンピュータを、複数の柄形状を表示する柄形状表示手段と、該柄形状表示手段によって表示されオペレータの指示によって選択された柄形状を被印刷面に分散させる柄形状分散手段と、該柄形状分散手段によって分散された柄形状によって定まる被印刷面の柄領域のそれぞれに割り付けるテクスチャの配分をオペレータの指示に従って表示する柄テクスチャ配分表示手段と、該柄テクスチャ配分表示手段による配分で各テクスチャを各柄領域に割り付ける柄テクスチャ分散手段と、該柄テクスチャ分散手段によって割り付けられたテクスチャのテクスチャパターンから部分テクスチャデータを該当柄領域の形状で切り出す柄テクスチャ切出手段とを備える印刷柄起こしシステムとして機能させるためのプログラムである。
【発明の効果】
【００１１】
本発明によれば、能率的に自然な風合いの印刷柄起こしをして、扱うデータ量も少なくすることができる。
【００１２】
具体的には、オペレータはシステムの支援を受けて柄起こしを何回か繰り返すことよって自然な風合いとなる柄起こしを実現することができる。
【００１３】
また、データ量についても、一般的に単調でデータ量が少ない下地領域と、複雑でデータ量が多い柄領域とを分けてデータを持つことで全体として扱うデータ量が少なくなる。
【００１４】
また、テクスチャパターンを別に持っていて、建築板等の各被印刷物のデータとしてはそのテクスチャの種類及び（柄領域に関する）切出位置のデータを持つだけで済むので、全体として扱うデータ量が少なくなる。
【発明を実施するための最良の形態】
【００１５】
以下、添付図面を参照しながら本発明を実施するための最良の形態について詳細に説明する。
【実施例１】
【００１６】
図１は、本発明の一実施例による印刷柄起こしシステムにおける板形状表示を説明する図である。まず、被印刷面の全種について、その輪郭形状を決めてパターン化する。建築板の場合、被印刷面が矩形形状であるので、印刷に供するすべての板の縦横寸法｛ｌ，ｍ｝によって板形状パターンが決まる。具体的には、図１に示すように座標｛ｘｉ，ｙｉ｝によって印刷に供するすべての建築板をパターン化できる。したがって、ここではそれぞれをＢＰ１（＝｛ｘ１，ｙ１｝）、ＢＰ２（＝｛ｘ２，ｙ２｝）、・・・としてデータベース化しておく。
【００１７】
図２は、本発明の一実施例による印刷柄起こしシステムにおける印刷柄データのレイヤー構成を説明する図である。本実施例では、被印刷面が、１つの印刷下地領域と、その上に分散配置された複数の柄領域とから構成されているものと考える。前者は、連続画像領域であり、後者は独立画像領域となっている。画像合成面からは、印刷下地領域をレイヤー１として、柄領域をレイヤー２として取り扱う。
【００１８】
図３は、本発明の一実施例による印刷柄起こしシステムにおける柄領域パターンを説明する図である。柄領域は次のようにデータベース化する。写真などの原画をスキャンして白黒情報を取得し（所定の閾値を決めて、２値化情報を得る。）、更に、主走査方向（建築板搬送方向と直交する方向）に形成された線分画像が、副走査方向（主走査方向と直交する方向）に連続することで形成される面積画像をすべて検出し、その端部位置座標からすべての柄領域についての個々の輪郭形状を、複数の輪郭座標として決定する。そして、輪郭座標によって形状が特定された各柄領域を、それぞれ、柄領域パターンＤＰ１（＝｛輪郭座標１｝）、ＤＰ２（＝｛輪郭座標２｝）、・・・としてデータベース化しておく。
【００１９】
図４は、本発明の一実施例による印刷柄起こしシステムにおける区分け印刷パターンを説明する図である。次に、各柄領域を選択された（オペレータの入力操作による）板形状パターンの被印刷面に対し、ランダムに分散配置されるように拡大展開する。
【００２０】
各柄領域は、柄起こしの度毎に、重ならないように分散させる。図４に示すように、「被印刷面の印刷開始端部」から「各柄領域の印刷開始側端部」までの距離（ここでは、「被印刷面の印刷開始端部」のｘ座標を０にしているので「各柄領域の印刷開始側端部」のｘ座標になる）に従って、Ａ１〜Ａ１０というように番号付けしていく。Ａ１〜Ａ１０の位置が固定された各柄領域は、柄領域パターン集合｛ＤＰ１〜ＤＰ１０｝の１つの柄領域分散パターンとなっている。
【００２１】
そして、選択された板形状パターンと、決められた柄領域分散パターンとから、印刷下地パターンＡ０が決まる。すなわち、印刷下地パターンＡ０は、レイヤー１の全体板画像から、レイヤー２のＡ１〜Ａ１０の各柄領域の分散画像を差し引いた残りの、レイヤー１における白抜き板画像となっている。
【００２２】
ここに、オペレータの入力操作によって選択された板形状パターンと、決められた柄領域の分散パターンと、求められた印刷下地パターンとによって、１つの建築板の被印刷領域に対する区分け印刷パターンＤＩＶ（＝｛板形状パターン、柄領域分散パターン、印刷下地パターン｝＝｛ＢＰ１、Ａ１〜Ａ１０、Ａ０｝）が決定される。
【００２３】
図５は、本発明の一実施例による印刷柄起こしシステムにおけるテクスチャパターンを説明する図である。区分け印刷パターンＤＩＶによって各印刷領域が決められた各柄領域と印刷下地領域のそれぞれに対して、貼り付けるテクスチャデータをテクスチャパターンＴＰ１、ＴＰ２、・・・としてデータベース化しておく。このテクスチャパターンは区分け印刷パターンＤＩＶとは異なり、カラーデータであってもよい。
【００２４】
各柄領域に対するテクスチャパターン（無地のテクスチャパターンも含む）は、各柄領域よりも大きな面積を占めるデータとなっている。
【００２５】
また、印刷下地領域に対するテクスチャパターン（無地のテクスチャパターンも含む）は、基本面積（想定される最大の被印刷面積、すなわち、扱う最大の建築板の面積）を有する基本テクスチャデータがデータベース化されている。
【００２６】
図６は、本発明の一実施例による印刷柄起こしシステムにおけるテクスチャパターンの割付を説明する図である。選択された（オペレータの入力操作による）複数のテクスチャパターンのそれぞれについて、指定された（オペレータの入力操作による）出願頻度に応じて、各柄領域にランダムに割り付けていく。これによって、各柄領域にどのテクスチャを貼り付けるかが決まる。例えば、ＴＰ１：５０％、ＴＰ２：５０％である場合には、ＴＰ１：ＴＰ２＝５：５の割合で各柄領域に割り付け、ＴＰ１：４０％、ＴＰ２：２０％、ＴＰ３：４０％である場合には、ＴＰ１：ＴＰ２：ＴＰ３＝４：２：４の割合で各柄領域に割り付け、ＴＰ１：４０％、ＴＰ２：５０％、ＴＰ３：１０％である場合には、ＴＰ１：ＴＰ２：ＴＰ３＝４：５：１の割合で各柄領域にそれぞれランダムに割り付ける。これにより、各柄テクスチャパターンが各柄領域に分散されて割り付けられる。
【００２７】
図７は、本発明の一実施例による印刷柄起こしシステムにおけるテクスチャパターンの切出を説明する図である。現在、各柄形状パターンにテクスチャパターンＴＰが割り付けられた状態にある。そこで、今度はそのテクスチャパターンＴＰのどの部分を貼り付けるか、すなわち、そのテクスチャパターンＴＰからどの部分を切り出すかを決める。この実施例では、テクスチャパターンＴＰが割り付けられた各柄領域に対し、該当するテクスチャパターンＴＰから各柄領域の輪郭形状に応じて、ランダムに部分テクスチャパターンＴＰを切り出す。ここでは、部分テクスチャデータが重なっても構わない。図７では、３つの切出の例を示している。
【００２８】
図８は、本発明の一実施例による印刷柄起こしシステムにおける印刷下地領域のテクスチャパターン割付を説明する図である。印刷下地領域に対しても選択された（オペレータの入力操作による）テクスチャパターンを割り付け、柄領域が白抜きされた白抜き板画像に対して、基本テクスチャデータ（図５参照）が該当領域全部に貼り付けられる。
【００２９】
図９は、本発明の一実施例による印刷柄起こしシステムにおける柄確認画面を説明する図である。求めた板柄画像を候補１として、その（同一柄の）４枚分を隣接配置して（施工状態を想定して、接合部分の柄に違和感がないかを確認するため）表示する。満足のいかない場合には、「操作画面へ戻る」ボタン１３を押して、再度、板柄画像を求め、候補２として、同様にその４枚分を隣接配置して併せて表示する。ここに、先に求めた板柄画像との比較も行える。いずれかの候補について満足のいく場合には、「候補１」ボタン１１又は「候補２」ボタン１２を押して候補を特定し、「柄決定」ボタン１４を押せば、区分け印刷パターンとして記憶される。
【００３０】
印刷にあたっては、区分け印刷パターンを呼び出せば、そのままＣＭＹＫデータに変換され、更に、印刷制御データに変換されて出力される。
【００３１】
図１０は、本発明の一実施例による印刷柄起こしシステムの動作を説明するフローチャートである。図１１は、本発明の一実施例による印刷柄起こしシステムにおける操作画面を説明する図である。まず、オペレータが「板形状選択」ボタン２１を押すと、システムは板形状パターンデータベースとリンクされ、図１に示すように、縦横寸法項目で板形状候補を複数サブ画面に表示し（ステップＳ１）、オペレータはその中から印刷に供する板形状パターンを選択して、「決定」ボタン２２を押す。次に、オペレータが「柄形状選択」ボタン２３を押すと、システムは柄領域パターンデータベースとリンクされ、図３に例示される柄領域パターンを柄形状候補として複数サブ画面に表示するので（ステップＳ２）、オペレータはその中から印刷しようとする柄形状を選択して、「決定」ボタン２４を押す。そして、オペレータが「柄形状分散」ボタン２５を押すと、選択されている柄形状が（２次元位置及び配置向きが）ランダムに板形状の中で分散される（ステップＳ３）。この「柄形状分散」ボタン２５は繰り返し押すことによって、その度に柄形状をランダムに分散させることができる。この柄分散の配置が決まったところで、オペレータが「表示１」ボタン２６を押すと、システムは印刷下地テクスチャデータベースとリンクされ、印刷下地テクスチャの候補２７を表示するので（ステップＳ４）、オペレータはその中から印刷しようとするテクスチャを選択して、「決定」ボタン２８を押す。
【００３２】
次に、柄テクスチャの決定に入る。オペレータが「表示２」ボタン３１を押すと、システムは印刷テクスチャデータベースとリンクされ、印刷柄テクスチャの候補３２を同時に３個表示するので、オペレータはそれぞれについて、出願頻度（％）３３を入力して（ステップＳ５）、「決定」ボタン３４を押す。オペレータが「テクスチャ分散」ボタン３５を押すと、システムは、図６に示されるように、決定されている出現頻度で各テクスチャを各柄形状パターンに分散させるようにランダムに割り付けていく（ステップＳ６）。この「テクスチャ分散」ボタン３５は繰り返し押すことによって、その度に各テクスチャを各柄形状パターンにランダムに割り付けることができる。そして、オペレータが「切出」ボタン３６を押すと、システムは、図７に示されるように、各柄形状パターンに割り付けられているテクスチャパターンから部分テクスチャデータをランダムに切り出す（ステップＳ７）。この「切出」ボタン３６は繰り返し押すことによって、その度に各テクスチャパターンからランダムに切り出すことができる。以上の操作によって板柄画像の候補を作成することができ、オペレータが「次画面へ」ボタン３７を押すと、システムは、図９に示される板確認画面を表示する。
【００３３】
なお、本発明は上記実施例に限定されるものではない。
【００３４】
柄形状分散（ステップＳ３）はランダムに行わずに、複数分散状態を予め決めておいて、その中から選択するようにしてもよい。
【００３５】
柄領域に貼り付ける印刷柄テクスチャパターンの組合せ（ステップＳ６）はランダムに行わずに、複数の組合せ方を予め決めておいて、その中から選択するようにしてもよい。
【００３６】
テクスチャパターンからの部分テクスチャデータの切出方法（ステップＳ７）はランダムに行わずに、複数予め決めておいて、その中から選択するようにしてもよいし、切出方法をプログラム指定するようにしてもよい。
【００３７】
本発明の用途は建築板の印刷柄起こしに限られず、他の一般的な商品の印刷柄起こしに用いることができる。
【００３８】
また、本発明の印刷柄起こしシステムは、コンピュータを本印刷柄起こしシステムとして機能させるためのプログラムでも実現される。このプログラムは、コンピュータで読み取り可能な記録媒体に格納されていてもよい。
【００３９】
このプログラムを記録した記録媒体は、システム内のＲＯＭそのものであってもよいし、また、外部記憶装置としてＣＤ−ＲＯＭドライブ等のプログラム読取装置が設けられ、そこに記録媒体を挿入することで読み取り可能なＣＤ−ＲＯＭ等であってもよい。
【００４０】
また、上記記録媒体は、磁気テープ、カセットテープ、フレキシブルディスク、ハードディスク、ＭＯ／ＭＤ／ＤＶＤ等、又は半導体メモリであってもよい。
【図面の簡単な説明】
【００４１】
【図１】本発明の一実施例による印刷柄起こしシステムにおける板形状表示を説明する図である。
【図２】本発明の一実施例による印刷柄起こしシステムにおける印刷柄データのレイヤー構成を説明する図である。
【図３】本発明の一実施例による印刷柄起こしシステムにおける柄領域パターンを説明する図である。
【図４】本発明の一実施例による印刷柄起こしシステムにおける区分け印刷パターンを説明する図である。
【図５】本発明の一実施例による印刷柄起こしシステムにおけるテクスチャパターンを説明する図である。
【図６】本発明の一実施例による印刷柄起こしシステムにおけるテクスチャパターンの割付を説明する図である。
【図７】本発明の一実施例による印刷柄起こしシステムにおけるテクスチャパターンの切出を説明する図である。
【図８】本発明の一実施例による印刷柄起こしシステムにおける印刷下地領域のテクスチャパターン割付を説明する図である。
【図９】本発明の一実施例による印刷柄起こしシステムにおける柄確認画面を説明する図である。
【図１０】本発明の一実施例による印刷柄起こしシステムの動作を説明するフローチャートである。
【図１１】本発明の一実施例による印刷柄起こしシステムにおける操作画面を説明する図である。
【符号の説明】
【００４２】
１１  「候補１」ボタン
１２  「候補２」ボタン
１３  「操作画面へ戻る」ボタン
１４  「柄決定」ボタン
２１  「板形状選択」ボタン
２２  「決定」ボタン
２３  「柄形状選択」ボタン
２４  「決定」ボタン
２５  「柄形状分散」ボタン
２６  「表示１」ボタン
２７  印刷下地テクスチャ候補
２８  「決定」ボタン
３１  「表示２」ボタン
３２  印刷柄テクスチャ候補
３３  出願頻度（％）
３４  「決定」ボタン
３５  「テクスチャ分散」ボタン
３６  「切出」ボタン
３７  「次画面へ」ボタン
ＢＢ  建築板
ＴＰ  テクスチャパターン
【図１】
2005341434.tif 000003
【図２】
2005341434.tif 000004
【図３】
2005341434.tif 000005
【図４】
2005341434.tif 000006
【図５】
2005341434.tif 000007
【図６】
2005341434.tif 000008
【図７】
2005341434.tif 000009
【図８】
2005341434.tif 000010
【図９】
2005341434.tif 000011
【図１０】
2005341434.tif 000012
【図１１】
2005341434.tif 000013